(57)【要約】【課題】  本発明はフレキシブルプリントケーブルに関し、シングルモードで従来よりも高速のデジタル信号を伝送することを可能とすることを目的とする。【解決手段】  ポリイミドフィルム２３の表面２１と裏面２２とに信号線及びグランド線が交互に配置してある。グランド線４１〜４５の幅Ｗ２は信号線３１等の幅Ｗ１の５倍であり、表面２１側のグランド線４２，４４と裏面２２側のグランド線４３，４５とはオーバーラップしている。各信号線３１等はマイクロストリップ線路の構造に近似した構造を有する。【選択図】  図４
2006351274.tif 000002
【特許請求の範囲】
【請求項１】
フィルムの表面及び裏面に信号線及びグランド線が交互に配置してある構成のフレキシブルプリントケーブルであって、
表面の信号線と裏面のグランド線とが対応し、且つ、裏面の信号線と表面のグランド線とが対応する関係にあり、
且つ、各グランド線は各信号線の幅よりも広い幅を有し、表面の各グランド線と裏面の各グランド線とは夫々その幅方向上両側にオーバーラップしている部分を有する構成としたことを特徴とするフレキシブルプリントケーブル。
【請求項２】
請求項１に記載のフレキシブルプリントケーブルにおいて、
各信号線はその端の信号端子の幅よりも狭い幅を有し、各グランド線その端のグランド端子の幅よりも広い幅を有する構成としたことを特徴とするフレキシブルプリントケーブル。
【請求項３】
請求項２に記載のフレキシブルプリントケーブルにおいて、
インピーダンスが１００Ωである構成としたことを特徴とするフレキシブルプリントケーブル。
【請求項４】
フレキシブルプリントケーブルの端が接続されるフレキシブルプリントケーブル用コネクタであって、
請求項１乃至請求項３のうち何れか一項に記載のフレキシブルプリントケーブルの端が挿入接続される挿入接続口を前面に有するハウジングと、
該ハウジングの前面から見て、上側信号コンタクトと下側信号コンタクトとが前記挿入接続口に沿って千鳥に並んでおり、且つ、下側グランドコンタクトと上側グランドコンタクトとが上記の千鳥とは逆の千鳥に並んでおり、前記挿入接続口を間において、前記上側信号コンタクトと前記下側グランドコンタクトとが対向しており、且つ前記上側グランドコンタクトと前記下側信号コンタクトとが対向している構成としたことを特徴とするフレキシブルプリントケーブル用コネクタ。
【請求項５】
請求項４に記載のフレキシブルプリントケーブル用コネクタにおいて、
前記上側グランドコンタクトは、上側グランドコンタクト部材の一部であり、
該上側グランドコンタクト部材は、帯部と、該帯部から櫛歯状に突き出ている複数の前記上側グランドコンタクトと、隣接する上側グランドコンタクトの間に突き出ている複数の上側庇部とを有する構成であり、
前記下側グランドコンタクトは、下側グランドコンタクト部材の一部であり、
該下側グランドコンタクト部材は、帯部と、該帯部から櫛歯状に突き出ている複数の前記下側グランドコンタクトと、隣接する下側グランドコンタクトの間に突き出ている複数の下側庇部とを有する構成であり、
前記上側信号コンタクトの上側に前記上側庇部が配され、且つ前記上側信号コンタクトの下側に前記挿入接続口を間において前記下側グランドコンタクトが対向し、
前記下側信号コンタクトの下側に前記下側庇部が配され、且つ前記下側信号コンタクトの上側に前記挿入接続口を間において前記上側グランドコンタクトが対向する構成としたことを特徴とするフレキシブルプリントケーブル用コネクタ。
【発明の詳細な説明】
【技術分野】
【０００１】
本発明はフレキシブルプリントケーブル及びフレキシブルプリントケーブル用コネクタに係り、特に、シングルモードで高速転送を実現するフレキシブルプリントケーブル及びフレキシブルプリントケーブル用コネクタに関する。
【０００２】
近年、電子機器においてはデジタル情報の処理速度が高速化が進んでおり、これに伴って、電子機器の内部でのデジタル信号の転送を例えば８００ＭＨｚ程度にまで高速化することが求められている。また、電子機器の内部では、一つの部分と別の部分との電気的接続にはフレキシブルプリントケーブルが多く使用されている。
【０００３】
信号の伝送の方式としては、一つの信号毎に一本の信号線を使用する従来から利用されているシングルモードの伝送方式と、一つの信号毎に対をなす二つの信号を作り、この二つの信号を対をなす二本の信号線で送信する平衡伝送方式とがある。平衡伝送方式は、シングルモードの伝送方式に比べてノイズの影響を受けにくく、信号を正常に伝送することが可能であるデジタル信号の周波数をシングルモードの伝送方式に比べて大幅の上げることが出来るという利点を有しており、信号を高速で伝送する分野において採用されつつある。
【０００４】
しかし、平衡伝送方式は対となっている二つの信号を処理するため特別の信号処理回路が必要となり、シングルモードの伝送方式を採用している電子機器に適用するためは、大幅な設計変更が必要となってしまい、簡単に適用することは困難である。
【０００５】
そこで、シングルモードで従来よりも高速のデジタル信号を伝送することを可能とする技術、即ち、シングルモードでノイズの影響を受けにくくしたフレキシブルプリントケーブルの実現が求められている。
【背景技術】
【０００６】
図１は従来のシングルモード用のフレキシブルプリントケーブル１０を示す。このケーブル１０は、ポリイミドフィルム１１の上面に、信号線パターン１２が平行に並んでいる構成である。保護膜の図示は省略してある。
【０００７】
このケーブル１０の端が接続されるコネクタは、単に信号コンタクトが並んでいるだけの構成である。
【特許文献１】実公平８−１０９３２号公報
【発明の開示】
【発明が解決しようとする課題】
【０００８】
このように、ケーブル１０は隣接する信号線パターン１２が単に空間的に分離されている構成であるため、クロストークや反射等が発生し、実際に伝送できる信号は最大で例えば２００ＭＨｚ程度に制限されていた。
【０００９】
また、ケーブル１０の端が接続されるコネクタも、信号コンタクトが単に空間的に分離されている構成であるため、クロストークや反射等が発生し易いものであった。
【００１０】
本発明は、上記の点に鑑みてなされたものであり、シングルモードで従来よりも高速のデジタル信号を伝送することを可能としたフレキシブルプリントケーブル及びフレキシブルプリントケーブル用コネクタを提供することを目的とする。
【課題を解決するための手段】
【００１１】
そこで、上記課題を解決するため、本発明は、フィルムの表面及び裏面に信号線及びグランド線が交互に配置してある構成のフレキシブルプリントケーブルであって、
表面の信号線と裏面のグランド線とが対応し、且つ、裏面の信号線と表面のグランド線とが対応する関係にあり、
且つ、各グランド線は各信号線の幅よりも広い幅を有し、表面の各グランド線と裏面の各グランド線とは夫々その幅方向上両側にオーバーラップしている部分を有する構成としたことを特徴とする。
【発明の効果】
【００１２】
本発明によれば、各信号線の両側のグランド線及びフィルムの反対側の面のグランド線が夫々その幅方向上両側にオーバーラップしている部分を有する構成であるため、各信号線はマイクロストリップ線路の構造に近似した構造となり、クロストークの発生が抑制され且つノイズの影響を受け難くなる。よって、シングルモードでデジタル信号を従来に比較して数倍高い速度まで伝送することが可能となる。
【発明を実施するための最良の形態】
【００１３】
次に本発明の実施の形態について説明する。
【実施例１】
【００１４】
図２は本発明の実施例１のフレキシブルプリントケーブル２０及びフレキシブルプリントケーブル用コネクタ７０を対向させて示す。Ｘ１−Ｘ２は幅方向、Ｙ１−Ｙ２は接続する方向、Ｚ１−Ｚ２は厚さ（高さ）方向である。
［フレキシブルプリントケーブル２０］
図３（Ａ）はケーブル２０の表面２１を示す平面図、図３（Ｂ）はケーブル２０の裏面２２を示す底面図である。図４は図３（Ａ）、（Ｂ）中、IV-IV線に沿う線部分の拡大断面図、図５は図３（Ａ）、（Ｂ）中、V-V線に沿う端子部分の拡大断面図である。各図中、保護膜の図示は省略してある。
【００１５】
図３（Ａ）、（Ｂ）及び図４に示すように、フレキシブルプリントケーブル２０は、ポリイミドフィルム２３の表面２１と裏面２２とに信号線及びグランド線が交互に配置してある構成である。ポリイミドフィルム２３の表面２１に、Ｘ２側からＸ１側に順に、Ｘ２側から数えて奇数番の信号線と偶数番のグランド線とが、即ち、第１の信号線３１、第２のグランド線４２、第３の信号線３３、第４のグランド線４４、第５の信号線３５、・・・がピッチｐ１で形成してある。ポリイミドフィルム２３の裏面２２に、Ｘ２側からＸ１側に順に、Ｘ２側から数えて奇数番のグランド線と偶数番の信号線とが、即ち、第１のグランド線４１、第２の信号線３２、第３のグランド線４３、第４の信号線３４、第５のグランド線４５、・・・が同じくピッチｐ１で形成してある。ポリイミドフィルム２３の表面２１の隣り合う信号線３１，３３の間のピッチ及びポリイミドフィルム２３の裏面２２の隣り合う信号線３２，３４の間のピッチは、共にｐ２であり、ピッチｐ１の２倍である。
【００１６】
Ｚ１−Ｚ２方向についてみると、ポリイミドフィルム２３の表面２１側の信号線３１、３３、３５に対応するポリイミドフィルム２３の裏面２２側には、グランド線４１、４３，４５が存在しており、ポリイミドフィルム２３の裏面２２側の信号線３２、３４に対応するポリイミドフィルム２３の表面２１側には、グランド線４２、４４が存在している関係にある。即ち、表面２１側の信号線３１等と裏面２２側のグランド線４１等とが対応し、且つ、裏面２２側の信号線３２等と表面２１側のグランド線４２等とが対応する関係にある。
【００１７】
また、信号線３１〜３５の幅Ｗ１は０．１２ｍｍであり、グランド線４１〜４５の幅Ｗ２は信号線３１等の幅Ｗ１の５倍であり、０．６ｍｍである。Ｚ１−Ｚ２方向についてみると、ポリイミドフィルム２３の裏面２２のグランド線４３のＸ２側の部分とポリイミドフィルム２３の表面２１側のグランド線４２のＸ１側の部分とは、符号４８で示す幅Ｗ３の部分がオーバーラップしており、同じく、グランド線４３のＸ１側の部分とポリイミドフィルム２３の表面２１側のグランド線４４のＸ２側の部分とは、符号４９で示す幅Ｗ３の部分がオーバーラップしている。よって、ポリイミドフィルム２３の表面２１側の信号線３３は、Ｚ２側をグランド線４３によって占められ、Ｘ２側をグランド線４２及びグランド線４３のオーバーラップ部４８によって占められ、Ｘ１側をグランド線４４及びグランド線４３のオーバーラップ部４９によって占められ、その全長に亘って、Ｚ２、Ｘ２、Ｘ１の三方向をグランド線によって囲まれており、マイクロストリップ線路の構造に近似した構造となっている。他の信号線３５も同じくその全長に亘ってＺ２、Ｘ２、Ｘ１の三方向をグランド線によって囲まれている。ポリイミドフィルム２３の裏面２２の信号線３２、３４は，その全長に亘って、Ｚ１、Ｘ２、Ｘ１の三方向をグランド線によって囲まれている。このマイクロストリップ線路の構造に近似した構造によって、デジタル信号伝送時における、ポリイミドフィルム２３の表面２１側の隣り合う信号線３３，３５の間、及びポリイミドフィルム２３の裏面２２側の隣り合う信号線３２，３４の間でのクロストーク、及び、ポリイミドフィルム２３の表面２１の信号線３３とポリイミドフィルム２３の裏面２２の信号線３２、３４との間でのクロストークの発生が抑制され、且つ外部からのノイズの影響を受け難くなる。
【００１８】
また、オーバーラップ部４８、４９についてみると、この部分通過しようとするノイズは表側のグランド線と裏側のグランド線とで干渉され、通過しようとするノイズに対する吸収特性が向上している。
【００１９】
また、信号線３１〜３５の幅Ｗ１が０．１２ｍｍと狭くなっていることによって隣り合う信号線の間の間隔Ｌ１が広くなっている。このことによっても、隣り合う信号線の間でのクロストークの発生が抑制されている。
【００２０】
また、上記の構成によって、信号線３１〜３５は、インピーダンスが１００Ωとされている。
【００２１】
また、後述するエッジ端子構造部５０の信号端子及びグランド端子の幅を基準にすると、信号線３１〜３５の幅Ｗ１は信号端子の幅より狭く、グランド線４１〜４５の幅Ｗ２はグランド端子の幅より広い。
【００２２】
フレキシブルプリントケーブル２０の端には、図３（Ａ）、（Ｂ）及び図５に示すように、エッジ端子構造部５０が形成してある。エッジ端子構造部５０は信号端子及びグランド端子が交互に配置してある構成である。ポリイミドフィルム２３の表面２１には、Ｘ２側からＸ１側に順に、Ｘ２側から数えて奇数番の信号端子と偶数番のグランド端子とが、即ち、第１の信号端子５１、第２のグランド端子６２、第３の信号端子５３、第４のグランド子６４、第５の信号端子５５、・・・がピッチｐ１で形成してある。ポリイミドフィルム２３の裏面２２に、Ｘ２側からＸ１側に順に、Ｘ２側から数えて奇数番のグランド端子と偶数番の信号端子とが、即ち、第１のグランド端子６１、第２の信号端子５２、第３のグランド端子６３、第４の信号端子５４、第５のグランド端子６５、・・・が同じくピッチｐ１で形成してある。信号端子は信号線の幅より広く、グランド端子はグランド線の幅より狭くされており、信号端子及びグランド端子は同じ幅Ｗ４を有する。
【００２３】
エッジ端子構造部５０は、Ｚ１−Ｚ２方向についてみると、ポリイミドフィルム２３の表面２１側の信号端子５１、５３、５５に対応するポリイミドフィルム２３の裏面２２側には、グランド端子６１、６３，６５が存在しており、ポリイミドフィルム２３の裏面２２側の信号端子５２、５４に対応するポリイミドフィルム２３の表面２１側には、グランド端子６２、６４が存在している関係にある。
【００２４】
［フレキシブルプリントケーブル用コネクタ７０］
図６はケーブル用コネクタ７０を背面側から見た斜視図、図７は図２中、線VII-VIIを含むＸ−Ｚ面で断面した図、図８はケーブル用コネクタ７０を分解して示す図である。
【００２５】
ケーブル用コネクタ７０は、ライトアングル型であって、且つ、複数のグランドコンタクトが一体とされているグランドコンタクト一体型であって、且つ、フレキシブルプリントケーブル２０の端のエッジ端子構造部５０が直接に接続される構成である。
【００２６】
ケーブル用コネクタ７０は、図２、図６、図７及び図８に示すように、電気絶縁性である合成樹脂製の成形部品であって複数のスリットが形成してあるハウジング７１のＹ１側である背面側からＺ１側の信号コンタクト部材９０とＺ２側の信号コンタクト部材１００が夫々多数圧入してあり、且つ、ハウジング７１のＹ２側である前面側からＺ１側のグランドコンタクト部材１１０とＺ２側のグランドコンタクト部材１２０が圧入してある構成である。
【００２７】
図８に示すように、ハウジング７１は、前面７２、背面７３、Ｘ１側の側面７４、Ｘ２側の側面７５、上面７６、底面７７を有する。図９に拡大して示すように、前面７２に、共にＸ１−Ｘ２方向に長い、エッジ端子構造部挿入接続口８０、Ｚ１側グランドコンタクト部材圧入用スリット８１及びＺ２側グランドコンタクト部材圧入用スリット８３が形成してある。挿入接続口８０は中央に位置し、スリット８１は挿入接続口８０よりＺ１側の部位に位置して側面７５に突き抜けており、スリット８２は挿入接続口８０よりＺ２側の部位に位置して側面７４に突き抜けている。スリット８１と挿入接続口８０との間に、スリット８２がピッチｐ１で並んでいる。スリット８１と挿入接続口８０との間に、スリット８２がピッチ２×ｐ１で並んでいる。スリット８３と挿入接続口８０との間に、スリット８４がピッチ２×ｐ１で並んでいる。スリット８２とスリット８４とはピッチｐ１の寸法ずれている。
【００２８】
また、ハウジング７１には、Ｚ１側信号コンタクト部材圧入用スリット８５及びＺ２側信号コンタクト部材圧入用スリット８６が形成してある。スリット８５は、挿入接続口８０のＺ１側の縁に沿ってピッチ２×ｐ１で並んでいる。スリット８６は、挿入接続口８０のＺ２側の縁に沿って同じくピッチ２×ｐ１で並んでいる。スリット８５とスリット８６とはピッチｐ１の寸法ずれている。
【００２９】
Ｚ１−Ｚ２方向には、スリット８２とスリット８６とが整列しており、且つ、スリット８５とスリット８４とが整列している。
【００３０】
図８に示すように、Ｚ１側信号コンタクト部材９０は、略Ｌ字形状であり、Ｙ２方向端に信号コンタクト９１を有し、Ｙ１方向端に半田付け用端子部９２を有する。このコンタクト部材９０は、スリット８５に圧入してある。Ｚ２側信号コンタクト部材１００は、略Ｌ字形状であり、Ｙ２方向端に信号コンタクト１０１を有し、Ｙ１方向端に半田付け用端子部１０２を有する。このコンタクト部材１００は、スリット８６に圧入してある。
【００３１】
図７に示すように、信号コンタクト９１と信号コンタクト１０１とは、挿入接続口８０に臨んでＸ１−Ｘ２方向に千鳥状に並んでいる。また、図６に示すように、ハウジング７１の背面７３では、半田付け用端子部９２、１０２とが交互に並んでいる。
【００３２】
再度、図８に示すように、Ｚ１側グランドコンタクト部材１１０は、Ｘ１−Ｘ２方向に長い帯部１１１と、帯部１１１からＹ２方向に櫛歯状に突き出ている複数のグランドコンタクト１１２と、隣接するグランドコンタクト１１２の間に突き出ている複数の庇部１１３と、帯部１１１のＸ２端のＬ字形状の半田付け用端子部１１４とを有し、複数のグランドコンタクト１１２が一体である構成である。グランドコンタクト１１２及び庇部１１３は、ピッチｐ１の寸法ずれて、共にピッチ２×ｐ１で並んでいる（図７参照）。
【００３３】
このＺ１側グランドコンタクト部材１１０は、ハウジング７１の前面７２側からスリット８１に圧入してある。グランドコンタクト１１２はスリット８２内に収まっている。
【００３４】
図７に示すように、グランドコンタクト１１２は、隣接するコンタクト部材９０の間に位置し、挿入接続口８０を間においてＺ２側の信号コンタクト１０１と対向している。庇部１１３及び帯部１１１の一部がコンタクト部材９０のＺ１側を覆っている。よって、各コンタクト部材９０は、そのＸ１及びＸ２側がグランドコンタクト１１２に対向し、Ｚ１側が庇部１１３及び帯部１１１の一部に対向しており、Ｘ１、Ｘ２、Ｚ１側の三方向をグランドコンタクト部材１１０によって囲まれた状態にある。
【００３５】
また、各コンタクト９１のＺ２側には、挿入接続口８０を間においてグランドコンタクト１２２が対向している。よって、各コンタクト９１は、グランドコンタクト部材１１０とグランドコンタクト１２２とによって、Ｘ１、Ｘ２、Ｚ１、Ｚ２側の４方向を囲まれた状態にある。
【００３６】
半田付け用端子部１１４は、ハウジング７１の側面７５に突き出て側面７５に沿っている。
【００３７】
再度、図８に示すように、Ｚ２側グランドコンタクト部材１２０は、前記のＺ１側グランドコンタクト部材１１０と略対称である形状であり、Ｘ１−Ｘ２方向に長い帯部１２１と、帯部１２１からＹ２方向に櫛歯状に突き出ている複数のグランドコンタクト１２２と、隣接するグランドコンタクト１２２の間に突き出ている複数の庇部１２３と、帯部１２１のＸ１端のＬ字形状の半田付け用端子部１２４とを有し、複数のグランドコンタクト１２２が一体である構成である。グランドコンタクト１２２及び庇部１２３は、ピッチｐ１の寸法ずれて、共にピッチ２×ｐ１で並んでいる（図７参照）。
【００３８】
このＺ２側グランドコンタクト部材１２０は、ハウジング７１の前面７２側からスリット８３に圧入してある。グランドコンタクト１２２はスリット８４内に収まっている。
【００３９】
図７に示すように、グランドコンタクト１２２は、隣接するコンタクト部材１００の間に位置し、挿入接続口８０を間においてＺ１側の信号コンタクト９１と対向している。庇部１２３及び帯部１２１の一部がコンタクト部材１００のＺ１側を覆っている。よって、各コンタクト部材１００は、そのＸ１及びＸ２側がグランドコンタクト１２２に対向し、Ｚ１側が庇部１２３及び帯部１２１の一部に対向しており、Ｘ１、Ｘ２、Ｚ２側の三方向をグランドコンタクト部材１２０によって囲まれた状態にある。
【００４０】
また、各コンタクト１０１のＺ１側には、挿入接続口８０を間においてグランドコンタクト１１２が対向している。よって、各コンタクト１０１は、グランドコンタクト部材１２０とグランドコンタクト１１２とによって、Ｘ１、Ｘ２、Ｚ１、Ｚ２側の４方向を囲まれた状態にある。
【００４１】
半田付け用端子部１２４は、ハウジング７１の側面７５に突き出ている。
【００４２】
上記構成のコネクタ７０は、半田付け用端子部９２、１０２をプリント基板上の信号パッドに半田付けされ、両側の半田付け用端子部１１４、１２４をプリント基板上のグランドパッドに半田付けされて、プリント基板に実装される。コネクタ７０がプリント基板に実装された状態で、グランドコンタクト部材１１０、１２０は共にグランド電位となり、コンタクト部材９０はＸ１、Ｘ２、Ｚ１側の三方向をグランド電位とされたグランドコンタクト部材１１０によって囲まれ、コンタクト部材１００はＸ１、Ｘ２、Ｚ２側の三方向をグランド電位とされたグランドコンタクト部材１２０によって囲まれた状態となる。
【００４３】
また、図７に示すように、Ｚ１−Ｚ２方向上、信号コンタクト９１とグランドコンタクト１２２とが挿入接続口８０を間において対向しており、且つ、グランドコンタクト１１２と信号コンタクト１０１とが挿入接続口８０を間において対向している。よって、各コンタクト９１、１０１は、夫々グランド電位とされたグランドコンタクト部材１１０、１２０によって、Ｘ１、Ｘ２、Ｚ１、Ｚ２側の４方向を囲まれた状態にある。
【００４４】
なお、グランドに関しては半田付けの個所は半田付け用端子部１１４、１２４の二箇所であるため、プリント基板上のグランドパターンはベタのグランドで足り、プリント基板上のパターニングが簡素化されている。
【００４５】
［ケーブル２０のコネクタ７０への接続］
フレキシブルプリントケーブル２０はそのエッジ端子構造部５０をコネクタ７０の挿入接続口８０内に挿入して図１０に示すように接続される。エッジ端子構造部５０とコネクタ７０とは、図１０に示すように、Ｚ１側の信号コンタクト９１及びグランドコンタクト１１２とＺ２側の信号コンタクト１０１及びグランドコンタクト１２２とによって挟まれ、信号端子５１、５３、５５が信号コンタクト９１と接触し、グランド端子６２、６４がグランドコンタクト１１２と接触し、信号端子５２、５４が信号コンタクト１０１と接触し、グランド端子６１，６３，６５がグランドコンタクト１２２と接触した状態となって接続される。
【００４６】
シングルモードでフレキシブルプリントケーブル２０内を伝送されてきたデジタル信号はコネクタ７０内の信号コンタクト部材９０、１００を通ってプリント基板に伝送される。
【００４７】
ここで、信号コンタクト９１、１０１は三方向をグランド電位とされたグランドコンタクト部材１１０、１２０によって囲まれているため、デジタル信号が信号端子５１（５３、５５）及び信号コンタクト９１の部分を伝送される間、及びデジタル信号が信号端子５２（５４）及び信号コンタクト１０１の部分を伝送される間における、隣接する信号コンタクト間でのクロストークの発生が抑制される。
【００４８】
上記のようにフレキシブルプリントケーブル２０及びコネクタ７０が共にクロストークの発生が抑制され且つ外部からのノイズの影響を受け難い構成であるため、シングルモードで電子機器の内部でデジタル信号を従来に比較して数倍高い例えば８００ＭＨｚ程度の高速度で伝送することが可能となる。
【実施例２】
【００４９】
図１１は本発明の実施例２になるフレキシブルプリントケーブル２０及びコネクタ２００を示す。
【００５０】
本実施例は、フレキシブルプリントケーブル２０のエッジ端子構造部５０にプラグ２５０が設けてあり、図１２及び図１３に示すように、このプラグ２５０がコネクタ２００に接続される構成である。
【００５１】
プラグ２５０は、合成樹脂製のハウジング２５１内に、図１４に示すように、コンタクト２６０が二列に並んで組み込んである構成である。フレキシブルプリントケーブル２０のエッジ端子構造部５０の信号端子及びグランド端子が各コンタクト２６０に半田付けされている。ハウジング２５１はＹ１側の両側に接続ガイド部２５２，２５３を有する。
【００５２】
コネクタ２００は、ライトアングル型であって、且つ、各グランドコンタクトが分離独立であるグランドコンタクト分離独立型であって、且つ、プラグ２５０が接続される構成である。
【００５３】
コネクタ２００は、合成樹脂製のハウジング２０１内に、信号コンタクト部材２１０、２２０とグランドコンタクト部材２３０、２４０が二列に並んで組み込んである構成である。Ｚ１側には、信号コンタクト部材２１０とグランドコンタクト部材２３０とがＸ１−Ｘ２方向に交互に並んで組み込んである。Ｚ２側には、グランドコンタクト部材２４０と信号コンタクト部材２２０とがＸ１−Ｘ２方向に交互に並んで組み込んである。Ｚ１−Ｚ２方向についてみると、信号コンタクト部材２１０とグランドコンタクト部材２４０とが整列しており、且つグランドコンタクト部材２３０と信号コンタクト部材２２０とが整列している。
【００５４】
コネクタ２００内では、信号コンタクト部材２１０、２２０は夫々Ｘ１及びＸ２側をグランドコンタクト部材２３０、２４０でシールドされており、クロストーク抑制に効果がある。
【００５５】
プラグ２５０はその接続ガイド部２５２，２５３をハウジング２０１の接続ガイド溝部２０３，２０４に嵌合されて、図１２及び図１３に示すように接続される。図１３及び図１４に示すように、プラグ２５０のコンタクト２６０は、コネクタ２００内で信号コンタクト部材２１０、２２０及びグランドコンタクト部材２３０、２４０に接続される。
【００５６】
上記のようにフレキシブルプリントケーブル２０及びコネクタ２００共にクロストークの発生が抑制される構成であるため、シングルモードで電子機器の内部でデジタル信号を従来に比較して数倍高い例えば８００ＭＨｚ程度の高速度で伝送することが可能となる。
【００５７】
なお、上記のコネクタ２００の各部の寸法を適宜変更することによって、フレキシブルプリントケーブル２０のエッジ端子構造部５０を直接に接続することも可能である。
【図面の簡単な説明】
【００５８】
【図１】従来のシングルモード用のフレキシブルプリントケーブルを示す図である。
【図２】本発明の実施例１のフレキシブルプリントケーブル及びフレキシブルプリントケーブル用コネクタを対向させて示す斜視図である。
【図３】フレキシブルプリントケーブルを示し、（Ａ）は平面図及び（Ｂ）は底面図である。
【図４】図３（Ａ）、（Ｂ）中、IV-IV線に沿う線部分の拡大断面図である。
【図５】図３（Ａ）、（Ｂ）中、V-V線に沿う線部分の拡大断面図である。
【図６】図２のフレキシブルプリントケーブル用コネクタを背面側から見て示す斜視図である。
【図７】図２中、線VII-VIIを含むＸ−Ｚ面で断面し拡大して示すケーブル用コネクタの断面図である。
【図８】図２のフレキシブルプリントケーブル用コネクタを分解して示す図である。
【図９】フレキシブルプリントケーブル用コネクタのハウジングを拡大して示す図である。
【図１０】コネクタにフレキシブルプリントケーブルのエッジ端子構造部が接続された状態を示す図である。
【図１１】本発明の実施例２のフレキシブルプリントケーブル及びフレキシブルプリントケーブル用コネクタを対向させて示す斜視図である。
【図１２】フレキシブルプリントケーブルの端のプラグがフレキシブルプリントケーブル用コネクタに接続された状態を示す図である。
【図１３】図１２中、XIII-XIIIに沿う断面図である。
【図１４】図１２中、端子部材の接続状態を示す斜視図である。
【符号の説明】
【００５９】
２０  フレキシブルプリントケーブル
２３  ポリイミドフィルム
３１〜３５  信号線
４１〜４５  グランド線
４８、４９  オーバーラップしている部分
５０  エッジ端子構造部
７０  フレキシブルプリントケーブル用コネクタ
７１  ハウジング
９０  Ｚ１側の信号コンタクト部材
１００  Ｚ２側の信号コンタクト部材
１１０  Ｚ１側グランドコンタクト部材
１１３  庇部
１２０  Ｚ２側グランドコンタクト部材
１２３  庇部
２００  コネクタ
２５０  プラグ
【図１】
2006351274.tif 000003
【図２】
2006351274.tif 000004
【図３】
2006351274.tif 000005
【図４】
2006351274.tif 000006
【図５】
2006351274.tif 000007
【図６】
2006351274.tif 000008
【図７】
2006351274.tif 000009
【図８】
2006351274.tif 000010
【図９】
2006351274.tif 000011
【図１０】
2006351274.tif 000012
【図１１】
2006351274.tif 000013
【図１２】
2006351274.tif 000014
【図１３】
2006351274.tif 000015
【図１４】
2006351274.tif 000016